(57)【要約】      （修正有）【課題】位置決め安定性が良く、シフトまたは脱落が起こりにくく、充電時の接続安定性が確保される。同時に非対称プラグインセットを備え、使用が便利で手軽で、広く普及するのに有利な共有パワーバンクの収納チャンバー構造を提供する。【解決手段】取付ホルダー、クランプホルダー２、弾力部品３、駆動装置４、偏心駆動ブロック５、弾力ノックアウト６、ストロークスイッチ８、非対称プラグインセットを含み、取り出す必要がある場合、駆動装置４はコマンドを受け取ると、偏心駆動ブロック５を駆動・回転させ、クランプホルダー２にオープン動作を行わせ、共有パワーバンク９は弾力ノックアウト６の張力によって自動的に飛び出し、返却時に、共有パワーバンク９を空洞部１１に押し込んで弾力ノックアウト６を所定位置に圧縮すると、クランプホルダー２にあるフックが自動的に共有パワーバンク９のマウントに係入し、共有パワーバンク９を空洞部１１内に固定する。【選択図】図２
0003224549.tif 000002
【実用新案登録請求の範囲】
【請求項１】
取付ホルダー、クランプホルダー、弾力部品、駆動装置、偏心駆動ブロック、弾力ノックアウトを含み、
前記取付ホルダーに共有パワーバンクを収納するための空洞部が設けられ、該空洞部の後側に対応する取付ホルダーに回転柱と前記駆動装置が設けられ、
前記偏心駆動ブロックは駆動装置の駆動軸に設けられ、前記クランプホルダーはクランプアーム部と推進部を含み、前記クランプアーム部の先端はフックを有し、前記空洞部の側壁に伸び、前記空洞部の側壁に前記フックを前記空洞部内に伸ばすためのマウントが設けられ、
前記クランプアーム部の末端に前記回転柱を嵌合するための軸孔が設けられ、
前記推進部の片端は垂直的にクランプアーム部の末端に設けられ、他端は前記偏心駆動ブロックの片側に伸び、前記弾力部品は取付ホルダーに設けられ、クランプアーム部に押さえられフックを前記マウントに伸ばさせ、
前記弾力ノックアウトは空洞部の後側壁に位置することを特徴とする共有パワーバンクの収納チャンバー構造。
【請求項２】
前記弾力部品はねじりばねであり、前記ねじりばねの本体は回転柱に嵌合し、前記ねじりばねの片ばねアームは、取付ホルダーに押さえられ、もう一方のばねアームは、クランプアーム部に押さえられることを特徴とする請求項1記載の共有パワーバンクの収納チャンバー構造。
【請求項３】
前記フックの数は二つであり、前記クランプアーム部の先端の上下エッジに対称的に設けられることを特徴とする請求項1記載の共有パワーバンクの収納チャンバー構造。
【請求項４】
前記推進部の中部に円弧面凹部が設けられることを特徴とする請求項1記載の共有パワーバンクの収納チャンバー構造。
【請求項５】
前記駆動装置はステッピングモーターであることを特徴とする請求項1記載の共有パワーバンクの収納チャンバー構造。
【請求項６】
ストッパーホルダーを含み、該ストッパーホルダーは前記取付ホルダーに設けられ、且つ前記ストッパーホルダーに前記クランプアームの外側に伸びるストッパーブロックが設けられることを特徴とする請求項1記載の共有パワーバンクの収納チャンバー構造。
【請求項７】
前記クランプホルダーの数は二つであり、前記取付ホルダーに対称的に設けられることを特徴とする請求項1記載の共有パワーバンクの収納チャンバー構造。
【請求項８】
前記マウントのボトム面にリブが設けられることを特徴とする請求項1記載の共有パワーバンクの収納チャンバー構造。
【請求項９】
前記空洞部の後側壁に共有パワーバンクを差し込むための非対称プラグインセットが設けられ、
前記非対称プラグインセットは一つの中間プラグイン、二つの内側プラグインと二つの外側プラグインを含み、
二つの内側プラグインは並列して二つの外側プラグインの間に設けられ、
前記中間プラグインは二つの内側プラグインの間に設けられ、且つ前記外側プラグイン、内側プラグインと中間プラグインは同じ直線に位置することを特徴とする請求項1記載の共有パワーバンクの収納チャンバー構造。
【請求項１０】
ストロークスイッチを含み、前記ストロークスイッチは前記偏心駆動ブロックに対応して、前記取付ホルダーに設けられることを特徴とする請求項1〜9のいずれかに記載の共有パワーバンクの収納チャンバー構造。
【考案の詳細な説明】
【技術分野】
【０００１】
本考案は共有パワーバンク構造に関し、具体的に共有パワーバンクの収納チャンバー構造に関するものである。
【背景技術】
【０００２】
モバイルデバイスの急速な発展に伴い、携帯電話、タブレットなどのモバイル電子製品はすでに人々の生活に欠かせない部分となっており、モバイルデバイスの機能もますます多様化してきた。但し、モバイルデバイスのバッテリー駆動能力はずっと大きく改善されておらず、肝心な時にモバイルデバイスの断電は多くの消費者の悩みとなっている。電子製品の広範な使用に伴い、市場ではレンタル方式でユーザーにパワーバンクを提供するサービスが現れている。レンタルパワーバンクを公共場所に置き、パワーバンクの貸し出し、返却機能を果たすことができ、人工サービスを必要とせず、パワーバンクの自動レンタルを実現し、ユーザーのモバイル製品のバッテリー駆動時間の問題を解決し、モバイル製品の使用は制限されずにできるようになる。
【０００３】
従来技術ではパワーバンクレンタル設備に輸送機構が設けられ、パワーバンクを貸出したり返却したりする時、輸送機構の直流減速モーターでローラーを転がし、ローラーと物体が接触する摩擦力でパワーバンクの送り出しや送り込みを行い、それから充電作業を行う。上記の輸送機構は構造が複雑で、動作過程が煩雑であるだけでなく、コストが高く、安定性が悪く、正しく送り込まないことによるパワーバンクと内部充電プラグの接続不良のため、パワーバンクの正常な充電を影響する。また、パワーバンクレンタル設備の中にパワーバンクを係止する構造がないため、パワーバンクレンタル設備が傾いたり揺れたりする過程で、パワーバンクが脱落して滑り出る現象は現れやすい。
【考案の概要】
【考案が解決しようとする課題】
【０００４】
上記の不足に対して、本考案の目的は、構造設計が巧みで合理的で、使いやすく、構造が安定している共有パワーバンクの収納チャンバー構造を提供することである。
【課題を解決するための手段】
【０００５】
上記の目的を達成するために、本考案では下記の技術プランを提案する。
【０００６】
取付ホルダー、クランプホルダー、弾力部品、駆動装置、偏心駆動ブロックと弾力ノックアウトを含み、前記取付ホルダーに共有パワーバンクを収納するための空洞部が設けられ、空洞部の後側に対応する取付ホルダーに回転柱と前記駆動装置が設けられ、前記偏心駆動ブロックは駆動装置の駆動軸に設けられ、前記クランプホルダーはクランプアーム部と推進部を含み、前記クランプアーム部の先端はフックを有し、空洞部の側壁に伸び、前記空洞部の側壁に前記フックを前記空洞部内に伸ばすためのマウントが設けられ、前記クランプアーム部の末端に前記回転柱を嵌合するための軸孔が設けられ、前記推進部の片端は垂直的にクランプアーム部の末端に設けられ、他端は前期偏心駆動ブロックの片側に伸び、前記弾力部品は取付ホルダーに設けられ、クランプアーム部に押さえられ、フックを前記マウントに伸ばさせ、前記弾力ノックアウトは空洞部の後側壁に位置する共有パワーバンクの収納チャンバー構造を提供する。
【０００７】
本考案の改善プランの一つとして、前記弾力部品はねじりばねであり、前記ねじりばねの本体は回転柱に嵌合し、前記ねじりばねの片ばねアームは取付ホルダーに押さえられ、もう一方のばねアームはクランプアーム部に押さえられる。
【０００８】
本考案の改善プランの一つとして、前記フックの数は二つであり、対称的にクランプアーム部先端の上下エッジに設けられる。
【０００９】
本考案の改善プランの一つとして、前記推進部の中部に円弧面凹部が設けられる。
【００１０】
本考案の改善プランの一つとして、前記駆動装置はステッピングモーターである。
【００１１】
本考案の改善プランの一つとして、ストッパーホルダーを含み、前記ストッパーホルダーは前記取付ホルダーに設けられ、且つ前記ストッパーホルダーに前記クランプアームの外側に伸びるストッパーが設けられる。
【００１２】
本考案の改善プランの一つとして、前記クランプホルダーの数は二つであり、対称的に前記取付ホルダーに設けられる。
【００１３】
本考案の改善プランの一つとして、前記マウントのボトム面にリブが設けられる。
【００１４】
本考案の改善プランの一つとして、前記空洞部の後側壁に共有パワーバンクを差し込むための非対称プラグインセットが設けられ、前記非対称プラグインセットは一つの中間プラグイン、二つの内側プラグインと二つの外側プラグインを含み、二つの内側プラグインは並列して二つの外側プラグインの間に設けられ、前記中間プラグインは二つの内側プラグインの間に設けられ、且つ前記外側プラグイン、内側プラグインと中間プラグインは同じ直線に位置する。
【００１５】
本考案の改善プランの一つとして、ストロークスイッチを含み、前記ストロークスイッチは前記偏心駆動ブロックに対応して、前記取付ホルダーに設けられる。
【考案の効果】
【００１６】
本考案の有益な効果は下記のとおりである。本考案の構造は設計が巧みで合理的である。取り出す必要がある場合、駆動装置はコマンドを受け取ると、偏心駆動ブロックを駆動・回転させ、クランプホルダーにオープン動作を行わせ、共有パワーバンクは弾力ノックアウトの張力によって自動的に飛び出し、人々に便利さをもたらす。返却時に、共有パワーバンクを空洞部に押し込んで弾力ノックアウトを所定位置に圧縮すると、クランプホルダーにあるフックが自動的に共有パワーバンクのマウントに係入し、共有パワーバンクを空洞部内に固定することを実現でき、位置決め安定性が良く、シフトまたは脱落が起こりにくく、充電時の接続安定性が確保される。同時に非対称プラグインセットを備え、共有パワーバンクが正面または裏面に自由に差し込まれ、使用が便利で手軽で、広く普及するのに有利である。
【図面の簡単な説明】
【００１７】
【図１】本考案実施形態の正面図である。
【図２】本考案実施形態の立面図である。
【図３】本考案実施形態の分解図である。
【図４】本考案実施形態におけるクランプホルダーと取付ホルダーの局所構造図である。
【考案を実施するための形態】
【００１８】
以下、本考案実施形態の共有パワーバンクの収納チャンバー構造を、図面を参照してさらに説明する。
【００１９】
図1〜図4に示すように、本実施形態の共有パワーバンクの収納チャンバー構造は、取付ホルダー1、クランプホルダー2、弾力部品3、駆動装置4、偏心駆動ブロック5、及び弾力ノックアウト6を含む。駆動装置4は、好ましくはステッピングモーターである。他の実施形態で、他のタイプのモーターを採用できる。
【００２０】
取付ホルダー1に共有パワーバンク9を収納するための空洞部11が設けられる。図３に示す通り、空洞部11の後側に対応する取付ホルダー1に回転柱14と駆動装置4が設けられる。具体的に言えば、回転柱14の数は二つである。クランプホルダー2の数は対称的に二つ設けられ、それぞれ、取付ホルダー1の回転柱14に設けられる。
【００２１】
図３に示す通り、偏心駆動ブロック5は駆動装置4の駆動軸に設けられる。クランプホルダー2はクランプアーム部21と推進部22を含む。クランプアーム部21の先端はフック23を有し、空洞部11の側壁に伸びている。図4に示す通り、空洞部11の側壁にフック23を空洞部11内に伸ばすためのマウント12が設けられる。本実施形態で、フック23の数量は好ましくは二つで、クランプアーム部21の先端の上下エッジに対称的に設けられ、係合時の安定性を高める。マウント12の底面にリブ13が設けられ、フック23とマウント12との接触面積を減らすことができ、さらに摩擦力を減らし、フック23の動作の柔軟性を向上させる。具体的に言えば、リブ13の数量は3本で、相互に隔てて設けられ、マウント12の底面に並列し、且つリブ13の長辺方向はフック23の動作方向と一致する。
【００２２】
図３、図４に示す通り、クランプアーム部21の末端に回転柱14を嵌合するための軸孔24が設けられる。推進部22の片端は垂直的にクランプアーム部21の末端に設けられ、他端は偏心駆動ブロック5の片側に伸びている。共有パワーバンク9の取付時に、軸孔24を通じて回転柱14に嵌合し、且つ回転柱14の軸心を以って回転できる。弾力部品3は取付ホルダー1に設けられ、クランプアーム部21に押さえられ、フック23をマウント12に伸ばさせる。本実施形態で、弾力部品3は、ねじりばねである。ねじりばねの本体は、回転柱14に嵌合し、ねじりばねの片ばねアームは取付ホルダー1に押さえられる。もう一方のばねアームは、クランプアーム部21の外側に押さえられる。他の実施形態では、この弾力部品3はスプリングまたは弾力ゴム柱としても良い。スプリングまたは弾力ゴム柱の片端が取付ホルダー1に接続され、他端がクランプアーム部21に接続されても良い。
【００２３】
弾力ノックアウト6は空洞部11の後側壁に位置し、弾力ノックアウト6は空洞部11内に位置する共有パワーバンク9に押さえられる。弾力ノックアウト6自身の弾力を利用して、共有パワーバンク9の全体または一部を空洞部11の外に押し出し、共有パワーバンク9の取り出しを便利にさせる。
【００２４】
本実施形態で、弾力ノックアウト6はピン61とスプリング（図示略）含む。空洞部11の後側壁に取付孔（図示略）が設けられ、ピン61は取付孔を通して設けられる。ピン61の片端は空洞部11の中に伸び、半径方向に拡径するヘッドを設け、スプリングはピン61に嵌合し、片端はヘッドに押さえられる。ピン61の他端は空洞部11の内壁に押さえられる。ヘッドを通じて、空洞部11内に位置する共有パワーバンク9をプッシュする。
【００２５】
他の実施形態で、弾力ノックアウト6はスプリングまたは弾力ゴム柱であっても良い。スプリングまたは弾力ゴム柱の片端は直接に空洞部11の後側壁に固定され、他端は空洞部11内に位置する共有パワーバンク9をプッシュする。
【００２６】
図４に示す通り、推進部22の中央部には円弧面である凹部25が設けられる。図３に示す偏心駆動ブロック5の突起部51がスムーズにスライドすることを容易にさせ、偏心駆動ブロック5の突起部51と凹部25の係合効果を効果的に高める。
【００２７】
クランプホルダー2のオープニング位置を限定するため、取付ホルダー1に、図３に示すストッパーホルダー7が設けられる。ストッパーホルダー7にクランプアーム部21の外側まで延びるストッパーブロック71が設けられる。
【００２８】
空洞部11の前側は共有パワーバンク9を差し込むための開口となっている。共有パワーバンク9の前側部は、外部に露出している。空洞部11の後側壁に共有パワーバンク9を差し込むための非対称プラグインセット（図示略）が設けられる。非対称プラグインセットは一つの中間プラグイン、二つの内側プラグインと二つの外側プラグインを含む。二つの内側プラグインは並列して二つの外側プラグインの間に設けられる。中間プラグインは二つの内側プラグインの間に設けられ、且つ外側プラグイン、内側プラグインと中間プラグインは同じ直線に位置する。
【００２９】
好ましくは、共有パワーバンク9の収納チャンバー構造はさらにストロークスイッチ8を含む。ストロークスイッチ8は偏心駆動ブロック5に対応して、取付ホルダー1に設けられる。偏心駆動ブロック5の底面に凸型ブロック52が設けられる。凸型ブロック52の突起の高さは偏心駆動ブロック5の突起部51よりやや高い。凸型ブロック52の向きは突起部51の向きと一致する。
【００３０】
偏心駆動ブロック5はクランプホルダー2を回転させ、開放動作を行わせる時、凸型ブロック52はストロークスイッチ8を緩め、ストロークスイッチ8はPCB制御盤に信号をフィードバックし、PCB制御盤（図示略）のインジケーターはONからＯＦＦになり、共有パワーバンク9が取り出されたことを示す。
【００３１】
共有パワーバンク9を取り出す必要がある場合、駆動装置4はPCB制御盤からコマンドを受取り、偏心駆動ブロック5を駆動して90度回転し、さらにクランプホルダー2をプッシュして開放動作を行う。共有パワーバンク9は弾力ノックアウト6の張力によって自動的に飛び出し、人々に便利さをもたらす。同時に、偏心駆動ブロック5の凸型ブロック52はストロークスイッチ8を緩める。ストロークスイッチ8はPCB制御盤に信号をフィードバックし、PCB制御盤のインジケーターはONからＯＦＦになり、共有パワーバンク9が取り出されたことを示す。
【００３２】
共有パワーバンク9の返却時、共有パワーバンク9を空洞部11に押し込んで、弾力ノックアウト6を所定位置まで圧縮すると、共有パワーバンク9のインターフェースは非対称プラグインセットと突き合わせる。PCB制御盤は突合せコマンドを受け取った後、偏心駆動ブロック5を駆動して再度90度回転し、偏心駆動ブロック5の突起部51をクランプホルダー2から離れさせる。二つのクランプホルダー2は弾力部品3の弾力によって閉合動作を行う。クランプホルダー2のフック23が共有パワーバンク9のマウントに係止され、共有パワーバンク9を空洞部11内に固定する。共有パワーバンク9は表面でも裏面でも自由に差し込むことができ、使用が便利で簡単である。
【００３３】
上述された本明細書の開示と教示により、本考案に関する分野の技術者は上記の実施形態を変更・修正できる。このゆえに、本考案は上記で開示・説明された具体的な実施形態に限定されるものではなく、本考案に対するいくつかの修正や変更も本考案の請求項の保護範囲内に含まれるべきである。本明細書では特定の専門用語が使用されているが、これらの専門用語は説明の便宜を図るためであり、本考案を限定するものではない。本考案の上記実施形態に説明されたように、それと同一又は類似の構造を採用することによって得られる他の構造のホルダーはいずれも本考案の保護範囲内にある。
【符号の説明】
【００３４】
１…取付ホルダー  ２…クランプホルダー  ３…弾力部品  ４…駆動装置  ５…偏心駆動ブロック  ６…弾力ノックアウト  ７…ストッパーホルダー  ８…ストロークスイッチ  ９…共有パワーバンク  １１…空洞部  １２…マウント  １３…リブ  １４…回転柱  ２１…クランプアーム部  ２２…推進部  ２３…フック  ２４…軸孔  ２５…円弧面凹部  ５１…突起部  ５２…凸型ブロック
【図１】
0003224549.tif 000003
【図２】
0003224549.tif 000004
【図３】
0003224549.tif 000005
【図４】
0003224549.tif 000006